(57)【要約】【課題】外部表示機器における操作性が向上する携帯端末を提供する。【解決手段】映像を外部表示機器に表示可能な携帯端末１００は、外部表示機器２００に映像信号を送信するための外部出力映像管理部１７０と、画像を表示するための表示部１５０と、表示部１５０の画像表示領域に対するタッチ操作を受け付けるためのタッチパネル制御部１３０と、携帯端末１００の動作を制御するための演算部１１０とを備える。演算部１１０は、外部表示機器２００から、表示部２５０に対するタッチ操作を表す情報を受信し、表示部１５０の表示画面のサイズと、表示部２５０の表示画面のサイズとに基づいて、受信された情報により特定されるタッチ操作に応じた画面操作を表示部１５０に実行させるように構成されている。【選択図】図１
2014174808.tif 000002
【特許請求の範囲】
【請求項１】
映像を表示機器に表示可能な携帯端末であって、
前記表示機器に映像信号を送信するための送信手段と、
画像を表示するための端末表示部と、
前記表示部の画像表示領域に対するタッチ操作を受け付けるためのタッチパネル制御部と、
前記携帯端末の動作を制御するための端末制御部とを備え、
前記表示機器は、
前記携帯端末から送信される信号を受信するための受信手段と、
画像を表示するための外部表示部と、
前記外部表示部の画像表示領域に対するタッチ操作を受け付けるためのタッチパネル制御部と、
前記表示機器の動作を制御するための機器制御部とを備え、
前記端末制御部は、
前記表示機器から、前記外部表示部に対するタッチ操作を表す情報を受信し、
前記端末表示部の表示画面のサイズと、前記外部表示部の表示画面のサイズとに基づいて、前記受信された情報により特定されるタッチ操作に応じた画面操作を前記端末表示部に実行させるように構成されている、携帯端末。
【請求項２】
前記外部表示部に対するタッチ操作は、タッチダウン操作を含み、
当該タッチダウン操作を表す情報は、タッチダウンが検出された領域の面積を表す情報を含む、請求項１に記載の携帯端末。
【請求項３】
前記端末制御部は、前記領域の面積が予め設定された閾値以上である場合に、前記端末表示部の表示画面のサイズと、前記外部表示部の表示画面のサイズとの比率に応じて、前記端末表示部における画面の移動量を算出するように構成されている、請求項２に記載の携帯端末。
【請求項４】
前記端末制御部は、前記領域の面積が前記閾値以下である場合に、前記タッチダウン操作後に行われるムーブ操作による前記外部表示部における移動量を、前記端末表示部における移動量として算出するように構成されている、請求項３に記載の携帯端末。
【請求項５】
映像を表示するためのシステムであって、
携帯端末と、
前記携帯端末と通信可能な表示機器とを備え、
前記携帯端末は、
前記表示機器に映像信号を送信するための送信手段と、
画像を表示するための端末表示部と、
前記表示部の画像表示領域に対するタッチ操作を受け付けるためのタッチパネル制御部と、
前記携帯端末の動作を制御するための端末制御部とを備え、
前記表示機器は、
前記携帯端末から送信される信号を受信するための受信手段と、
画像を表示するための外部表示部と、
前記外部表示部の画像表示領域に対するタッチ操作を受け付けるためのタッチパネル制御部と、
前記表示機器の動作を制御するための機器制御部とを備え、
前記端末制御部は、
前記表示機器から、前記外部表示部に対するタッチ操作を表す情報を受信し、
前記端末表示部の表示画面のサイズと、前記外部表示部の表示画面のサイズとに基づいて、前記受信された情報により特定されるタッチ操作に応じた画面操作を前記端末表示部に実行させるように構成されている、システム。
【発明の詳細な説明】
【技術分野】
【０００１】
本発明は、映像の表示に関し、より特定的には、映像を表示可能な携帯端末における制御に関する。
【背景技術】
【０００２】
ユーザインターフェイスとしてタッチパネルを有する電子機器が増えており、操作性を向上させるための技術も提案されている。
【０００３】
たとえば、特開２０１２−１６４２７２号公報（特許文献１）は、「タッチパネル機器の操作性を向上させることができる操作情報取得装置」を開示している。操作情報取得装置１００は、タッチパネルディスプレイ２００の出力信号に基づいて操作情報を取得する装置であって、出力信号に基づいて操作種別を取得する操作種別判定部１２０と、出力信号に基づいてタッチパネルにおけるタッチ面積を取得するタッチ面積算出部１３０と、取得されたタッチ面積に対応する量を、取得された操作種別の操作量として決定する操作量決定部１４０と」を備える（［要約］参照）。
【先行技術文献】
【特許文献】
【０００４】
【特許文献１】特開２０１２−１６４２７２号公報
【発明の概要】
【発明が解決しようとする課題】
【０００５】
ところで、携帯端末（たとえばスマートフォン、タブレット端末その他の携帯型の情報通信端末）と外部表示機器（たとえばテレビ）とを接続して、携帯端末が有する映像コンテンツを外部表示機器に表示して、携帯端末の画面よりも通常は大きな画面を有する外部表示機器の画面で当該映像コンテンツを視聴したいという要請がある。そのとき、外部表示機器がタッチパネルを有する場合に、外部表示機器に表示されている画像へのタッチ操作に基づいて画面を切り換えようとする操作もある。このような操作が行われる場合、携帯端末の画面のサイズと外部表示機器の画面のサイズとが異なるために、外部表示機器のタッチパネルに対する操作による画面の移動量と、携帯端末の画面の移動量とが異なる場合もあり得る。そのため、外部表示機器のユーザが操作について違和感を感じる場合もある。したがって、外部表示機器における操作性を向上させるための技術が必要とされている。
【０００６】
この開示は、上述のような問題点を解決するためになされたものであって、ある局面における目的は、外部表示機器における画面の操作性が向上するように映像を外部表示機器に送信できる携帯端末を提供することである。他の局面における目的は、携帯端末と通信可能な外部表示機器における画面の操作性が向上するシステムを提供することである。
【課題を解決するための手段】
【０００７】
一実施の形態に従うと、映像を表示機器に表示可能な携帯端末は、表示機器に映像信号を送信するための送信手段と、画像を表示するための端末表示部と、表示部の画像表示領域に対するタッチ操作を受け付けるためのタッチパネル制御部と、携帯端末の動作を制御するための端末制御部とを備える。表示機器は、携帯端末から送信される信号を受信するための受信手段と、画像を表示するための外部表示部と、外部表示部の画像表示領域に対するタッチ操作を受け付けるためのタッチパネル制御部と、表示機器の動作を制御するための機器制御部とを備える。端末制御部は、表示機器から、外部表示部に対するタッチ操作を表す情報を受信し、端末表示部の表示画面のサイズと、外部表示部の表示画面のサイズとに基づいて、受信された情報により特定されるタッチ操作に応じた画面操作を端末表示部に実行させるように構成されている。
【０００８】
好ましくは、外部表示部に対するタッチ操作は、タッチダウン操作を含む。当該タッチダウン操作を表す情報は、タッチダウンが検出された領域の面積を表す情報を含む。
【０００９】
好ましくは、端末制御部は、領域の面積が予め設定された閾値以上である場合に、端末表示部の表示画面のサイズと、外部表示部の表示画面のサイズとの比率に応じて、端末表示部における画面の移動量を算出するように構成されている。
【００１０】
好ましくは、端末制御部は、領域の面積が閾値以下である場合に、タッチダウン操作後に行われるムーブ操作による外部表示部における移動量を、端末表示部における移動量として算出するように構成されている。
【００１１】
他の実施の形態に従うと、映像を表示するためのシステムが提供される。このシステムは、携帯端末と、携帯端末と通信可能な表示機器とを備える。携帯端末は、表示機器に映像信号を送信するための送信手段と、画像を表示するための端末表示部と、表示部の画像表示領域に対するタッチ操作を受け付けるためのタッチパネル制御部と、携帯端末の動作を制御するための端末制御部とを備える。表示機器は、携帯端末から送信される信号を受信するための受信手段と、画像を表示するための外部表示部と、外部表示部の画像表示領域に対するタッチ操作を受け付けるためのタッチパネル制御部と、表示機器の動作を制御するための機器制御部とを備える。端末制御部は、表示機器から、外部表示部に対するタッチ操作を表す情報を受信し、端末表示部の表示画面のサイズと、外部表示部の表示画面のサイズとに基づいて、受信された情報により特定されるタッチ操作に応じた画面操作を端末表示部に実行させるように構成されている。
【００１２】
ある局面において、タッチパネルを備える外部表示機器における画面の操作性が向上し得る。
【００１３】
この発明の上記および他の目的、特徴、局面および利点は、添付の図面と関連して理解されるこの発明に関する次の詳細な説明から明らかとなるであろう。
【図面の簡単な説明】
【００１４】
【図１】本発明の実施の形態に係るシステム１の構成の概略を表す図である。
【図２】携帯端末１００の表示部１５０と外部表示機器２００の表示部における画面の推移を表す図である。
【図３】演算部１１０が実行する処理の一部を表すフローチャートである。
【図４】外部表示機器２００が実行する処理の一部を表すフローチャートである。
【発明を実施するための形態】
【００１５】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１６】
＜携帯端末１００の構成＞
図１を参照して、本実施の形態に係るシステム１について説明する。図１は、本発明の実施の形態に係るシステム１の構成の概略を表す図である。システム１は、携帯端末１００と、外部表示機器２００とを備える。携帯端末１００は、たとえば、スマートフォン、タブレット端末その他の通信機能と画像表示機能とを備える携帯型の通信端末として実現される。外部表示機器２００は、テレビ、モニタ装置その他の機器であって、上記通信端末との通信機能を有する映像表示装置として実現される。
【００１７】
携帯端末１００は、演算部１１０と、タッチパネル１２０と、タッチパネル制御部１３０と、表示制御部１４０と、表示部１５０と、メモリ１６０と、外部出力映像管理部１７０と、外部出力制御情報通信部１８０と、外部タッチイベント制御部１９０とを備える。
【００１８】
演算部１１０は、携帯端末１００に対して予め規定された処理を実現するための命令を実行する。
【００１９】
タッチパネル１２０は、表示部１５０に対する操作を検出する。
タッチパネル制御部１３０は、演算部１１０によって出力される命令に基づいて、タッチパネル１２０の動作を制御する。当該動作は、たとえば、タッチ操作の検出部のオンやオフ等を含む。
【００２０】
表示制御部１４０は、演算部１１０から出力される命令に基づいて、表示部１５０における画面の表示を制御する。たとえば、携帯端末１００と外部表示機器２００との通信が確立されている場合において、携帯端末１００が映像信号を外部表示機器２００に送信しているとき、表示制御部１４０は、表示部１５０における動画像の表示または非表示を切り換える。
【００２１】
表示部１５０は、表示制御部１４０から出力される信号に基づいて、画像を表示する。表示される画像は、メモリ１６０に保存されている動画像、静止画像、写真その他のコンテンツ、携帯端末１００の外部から与えられる同様のコンテンツ等を含む。表示部１５０は、液晶モニタ、有機ＥＬ（Electro  Luminescence）モニタその他の表示装置として実現される。
【００２２】
メモリ１６０は、携帯端末１００に対して予め規定された動作を実行させるためのデータおよびプログラムを含むシステム情報、および、前述のコンテンツその他のユーザデータを格納する。メモリ１６０は、フラッシュメモリ、ハードディスク、ＳＳＤ（Solid  State  Drive）その他の不揮発記憶装置、あるいは、ＲＡＭ（Random  Access  Memory）その他の揮発記憶装置として実現される。また、メモリ１６０は、着脱可能なメモリカードによっても実現され得る。
【００２３】
外部出力映像管理部１７０は、演算部１１０の制御に基づいて、携帯端末１００の外部に対する映像信号の出力（送信）を制御する。たとえば、外部出力映像管理部１７０は、メモリ１６０に保存されている映像データをストリーム信号として無線送信する。
【００２４】
外部出力制御情報通信部１８０は、外部表示機器２００によって送信された信号の入力を受け付ける。当該信号は、外部表示機器２００において検出された表示部２５０に対するタッチ操作（タッチイベントともいう。）の種別、当該タッチ操作を特定する座標値情報等を含む。タッチ操作は、たとえば、表示部２５０におけるタッチダウン操作、ムーブ操作、タッチアップ操作であるが、これらに限られない。座標値情報は、たとえば、タッチダウン操作またはタッチアップ操作が検出された点または領域を表す座標値、または、ムーブ操作が行われた移動量を表す座標値を含む。
【００２５】
外部タッチイベント制御部１９０は、外部出力制御情報通信部１８０からの出力を受け、外部表示機器２００において検出されたタッチイベントに基づいて表示部１５０における画像の表示を制御する。たとえば、携帯端末１００が、表示部２５０におけるタッチダウン操作が行なわれた旨および当該タッチダウン操作を表す情報（タッチダウンされた点の座標値）を外部表示機器２００から受信すると、外部タッチイベント制御部１９０は、、当該情報に基づいて、当該タッチダウン操作が行なわれた点に相当する点の座標値を、表示部１５０に表示されている画像の中で特定する。その後の処理は、この点の座標値が起点となる。
【００２６】
別の局面において、携帯端末１００が、表示部２５０におけるムーブ操作が行なわれた旨および当該ムーブ操作を表す情報（たとえば、画面上の軌跡を表す座標値）を外部表示機器２００から受信すると、外部タッチイベント制御部１９０は、当該情報に基づいて、当該ムーブ操作が行なわれた軌跡に相当する各点の座標値を、表示部１５０に表示されている画像の中で特定する。
【００２７】
さらに別の局面において、携帯端末１００が、表示部２５０におけるタッチアップ操作が行なわれた旨および当該タッチアップ操作を表す情報（タッチアップされた点の座標値）を外部表示機器２００から受信すると、外部タッチイベント制御部１９０は、当該情報に基づいて、当該タッチアップ操作が行なわれた点に相当する点の座標値を、表示部１５０に表示されている画像の中で特定する。
【００２８】
演算部１１０とタッチパネル制御部１３０と表示制御部１４０と外部タッチイベント制御部１９０とは、たとえば、ＣＰＵ（Central  Processing  Unit）その他のプロセッサとして実現される。
【００２９】
＜外部表示機器２００の構成＞
図１を再び参照して、外部表示機器２００は、演算部２１０と、タッチパネル２２０と、タッチパネル制御部２３０と、表示制御部２４０と、表示部２５０と、タッチ面積算出部２６０と、外部入力映像管理部２７０と、外部入力制御情報通信部２８０とを備える。
【００３０】
演算部２１０は、外部表示機器２００の動作を制御する。
タッチパネル２２０は、表示部２５０の画像表示領域に対するタッチ操作を受け付ける。
【００３１】
タッチパネル制御部２３０は、演算部２１０によって出力される命令に基づいて、タッチパネル２２０の動作を制御する。当該動作は、たとえば、タッチ操作の検出部のオンやオフ等を含む。
【００３２】
表示制御部２４０は、演算部２１０から出力される命令に基づいて、表示部２５０における画面の表示を制御する。たとえば、携帯端末１００と外部表示機器２００との通信が確立されている場合において、外部表示機器２００が、携帯端末１００から映像信号を受信すると、表示制御部２４０は、その映像信号に基づく映像を表示部２５０に表示する。外部表示機器２００がテレビである場合には、表示制御部２４０は、チューナによる選局結果に応じてテレビ放送番組を表示部２５０に表示する。
【００３３】
表示部２５０は、表示制御部２４０から出力される信号に基づいて、画像を表示する。表示される画像は、携帯端末１００から送信された映像信号に基づく動画像、静止画像、写真その他のコンテンツ、テレビ放送信号に基づく番組等である。表示部２５０は、液晶モニタ、有機ＥＬモニタその他の表示装置として実現される。
【００３４】
タッチ面積算出部２６０は、タッチパネル制御部２３０からの出力に基づいて、タッチ操作が検出された領域の面積を算出する。当該面積は、たとえば、画素数として算出される。
【００３５】
外部入力映像管理部２７０は、演算部２１０の制御に基づいて、外部表示機器２００の外部に対する映像信号の受信を制御する。たとえば、外部入力映像管理部２７０は、携帯端末１００との通信を確立し、携帯端末１００から送信される映像信号の受信を受け付ける。
【００３６】
外部入力制御情報通信部２８０は、外部表示機器２００において検出されたタッチ操作に応じた信号を携帯端末１００に送信する。当該信号は、検出された表示部２５０に対するタッチ操作（タッチイベントともいう。）の種別、当該タッチ操作を特定する座標値情報等を含む。タッチ操作は、たとえば、表示部２５０におけるタッチダウン操作、ムーブ操作、タッチアップ操作であるが、これらに限られない。座標値情報は、たとえば、タッチダウン操作またはタッチアップ操作が検出された点または領域を表す座標値、または、ムーブ操作が行われた移動量を表す座標値を含む。
【００３７】
なお、演算部２１０とタッチパネル制御部２３０と表示制御部２４０とタッチ面積算出部２６０とは、たとえば、ＣＰＵその他のプロセッサとして実現される。
【００３８】
＜技術思想＞
ここで、図１を参照して、本実施の形態に係る技術思想について説明する。
【００３９】
たとえば、携帯端末１００から外部表示機器２００に映像を出力するとき、多くの場合、外部表示機器２００（たとえば、液晶テレビ）の画面サイズは、携帯端末１００（たとえば、スマートフォン、タブレット端末その他の携帯情報通信端末）の画面サイズよりも大きい。
【００４０】
ユーザが、外部表示機器２００においてタッチ操作を行なう場合、次の２つの場合がある。
・ケース（１）外部表示機器２００の表示部２５０の画面上の位置をタッチ操作で指す場合（たとえば、表示部２５０に表示されているブラウザ画面へのクリック操作など）
・ケース（２）表示部２５０の画面において表示内容を大きく移動する場合（たとえば、画面を大きくスクロールする動作など)
ケース（１）に関しては、特に画面のサイズによる操作性への懸念はないが、ケース（２）に関しては、画面サイズが大きくなるにつれ、大きく画面スクロールをしようとすると、操作しにくくなる場合がある。
【００４１】
そこで、本実施の形態においては、上記について、ケース（２）に関する操作性を向上させ、また、ケース（１）の操作性が損なわれない方法が開示される。
【００４２】
たとえば、携帯端末１００から外部表示機器２００への映像出力時に、外部表示機器２００からのタッチ操作情報を携帯端末１００で処理する場合を考える。この場合、携帯端末１００から送出している映像の解像度に対する外部表示機器２００の画面サイズ（実際の大きさ）が携帯端末１００で把握できないために、ケース（２）のような状況では、ユーザに直感的なタッチ操作を提供できない。
【００４３】
そこで、以下のような手法が考えられる。
［ステップ１］
携帯端末１００が外部表示機器２００に対する映像信号の出力を開始する。
【００４４】
たとえば、映像信号の出力を開始する際の携帯端末１００と外部表示機器２００との間のネゴシエーションにて、携帯端末１００は、携帯端末１００から外部表示機器２００に送出される映像信号の解像度を決定する。携帯端末１００は、外部表示機器２００の表示部２５０の画面サイズ（ＳＡ）を外部表示機器２００から取得して、当該画面サイズと表示部１５０の画面サイズ（ＳＢ）との比率（Ｘ＝ＳＡ／ＳＢ）を算出する。
【００４５】
［ステップ２］
携帯端末１００が映像信号を出力している間に、外部表示機器２００は、ユーザによるタッチパネル２２０に対する操作を受け付ける。
【００４６】
タッチパネル２２０に対する操作に応答して、外部表示機器２００は、携帯端末１００に対して、外部入力制御情報通信部２８０を介して、情報（以下「タッチ操作情報」ともいう。）を送信する。タッチ操作情報は、たとえば、タッチダウンが検出された点の座標値情報と、ムーブ操作が検出された点（たとえば、開始点または終了点）の座標値情報と、タッチダウン操作が検出された領域のタッチ面積（たとえば、画素数）情報とのいずれかを含む。
【００４７】
一方、携帯端末１００は、以下のような処理を実行する。まず、携帯端末１００は、外部表示機器２００から、タッチダウンの情報を受信した際、タッチ面積の情報を取得する。タッチ面積が予め設定された閾値以上である場合、演算部１１０は、タッチダウン後のムーブ座標値情報から算出される移動量情報に、ステップ１で算出された画面サイズの比率（Ｘ）を乗算して、移動量を決定する。外部表示機器２００の表示部２５０が携帯端末１００の表示部１５０よりも大きければ、移動量は大きくなる。他方、タッチ面積が予め設定された閾値以下である場合、演算部１１０は、タッチダウン後のムーブ操作の座標情報をそのまま使用し、移動量とする。仮に、演算部１１０が、一律で画面比率を乗算した移動量を用いると、細かな操作を阻害する要因にもなり得るため、タッチダウン時のタッチ面積を用いることによりタッチダウン操作を行なったユーザの意思を考慮する。
【００４８】
なお、上記の例では、演算部１１０は、外部表示機器２００の表示部２５０においてタッチダウンが行なわれた領域の面積でユーザの意図を判別しているが、外部表示機器２００が、タッチパネル２２０からの出力を用いてタッチ操作が行なわれた軌跡や領域の形状等を取得できるようにしてもよい。外部表示機器２００が、当該形状を示す情報を携帯端末１００に送ることで、その情報をユーザ意図として判別してもよい。
【００４９】
＜表示態様＞
図２を参照して、本実施の形態に係る携帯端末１００および外部表示機器２００における画面の表示態様について説明する。図２は、携帯端末１００の表示部１５０と外部表示機器２００の表示部における画面の推移を表す図である。
【００５０】
状態Ａに示されるように、携帯端末１００と外部表示機器２００とは通信状態にある。携帯端末１００は、表示部１５０に画像１１，１２を表示している。このとき、外部表示機器２００は、携帯端末１００から送られた映像信号に基づいて、画像２１，２２を表示している。画像２１は画像１１に対応する。画像２２は画像１２に対応する。ある局面において、外部表示機器２００のユーザ（視聴者）は、その指２０を表示部２５０の表示領域にタッチダウンし、ムーブ操作を行なう。
【００５１】
状態Ｂに示されるように、外部表示機器２００に対して行なわれたムーブ操作の移動量２４と画面サイズの比率（Ｘ）との積が予め規定された閾値を上回る場合には、携帯端末１００における画面の移動量も当該積に応じて大きくなる。より具体的には、外部表示機器２００に表示されていた画像２１は表示されなくなり、画像２１は画像２５として新たな場所に表示される。このとき、携帯端末１００に表示されていた画像１１も表示されなくなり、画像１２は、画像１５として表示される。
【００５２】
一方、状態Ｃに示されるように、外部表示機器２００に対して行なわれたムーブ操作の移動量と画面のサイズの比率（Ｘ）との積が予め規定された閾値よりも小さい場合には、携帯端末１００における画面の移動量も当該積に応じて小さくなる。より具体的には、外部表示機器２００に表示されていた画像２１は、画像２８として表示される。画像２２は、画像２９として表示される。また、携帯端末１００に表示されていた画像１１は画像１８として表示される。画像１２は画像１９として表示される。
【００５３】
＜制御構造＞
図３を参照して、本実施の形態に係る携帯端末１００の制御構造について説明する。図３は、演算部１１０が実行する処理の一部を表すフローチャートである。この処理は、携帯端末１００に保存されているプログラムがプロセッサによって実行されることにより実現される。
【００５４】
ステップＳ３１０にて、演算部１１０は、外部表示機器２００に対する映像の出力準備を実行する。
【００５５】
より具体的には、ステップＳ３１２にて、演算部１１０は、携帯端末１００において設定されている情報に基づいて外部表示機器２００に対して出力される映像の解像度を決定する。演算部１１０は、携帯端末１００と外部表示機器２００との通信を確立する。演算部１１０は、外部表示機器２００に映像の出力要求を送信する。
【００５６】
ステップＳ３１４にて、演算部１１０は、外部表示機器２００によって送信された信号から表示部２５０の表示領域のサイズを取得する。他の局面において、携帯端末１００は、外部表示機器２００から送られた、表示部２５０における解像度を取得する。
【００５７】
ステップＳ３１６にて、演算部１１０は、携帯端末１００の表示部１５０のサイズと、外部表示機器２００の表示部２５０のサイズとの比率（Ｘ）を算出する。
【００５８】
ステップＳ３２０にて、演算部１１０は、外部出力映像管理部１７０を介して、外部表示機器２００に対する映像の出力を開始する。
【００５９】
ステップＳ３３０にて、演算部１１０は、外部タッチイベント制御部１９０を介して、外部タッチイベントの取得処理を開始する。具体的には、外部タッチイベント制御部１９０は、外部出力制御情報通信部１８０を介して外部表示機器２００からの信号を受信する。この信号は、表示部２５０におけるタッチ操作情報を含む。外部タッチイベント制御部１９０は、このタッチ操作情報から、外部表示機器２００の表示部２５０においてどのようなタッチ操作がどの程度（移動量、座標値等）行なわれたかを表す情報を取得する。
【００６０】
ステップＳ３４０にて、演算部１１０は、タッチ操作情報に基づいて、表示部２５０において行なわれたイベント（タッチ操作の種類）を判定する。当該イベントがタッチアップ操作である場合には、演算部１１０は、制御をステップＳ３５０に切り換える。当該イベントがタッチダウン操作である場合には、演算部１１０は、制御をステップＳ３６０に切り換える。当該イベントがムーブ操作である場合には、演算部１１０は、制御をステップＳ３７０に切り換える。
【００６１】
ステップＳ３５０にて、演算部１１０は、メモリ１６０をクリアする。より具体的には、演算部１１０は、タッチ操作に応じた描画処理を実現するために割り当てられたメモリ領域を解放する。
【００６２】
ステップＳ３６０にて、演算部１１０は、外部表示機器２００から送られた信号から表示部２５０においてタッチされた領域の面積（タッチ面積）を示す情報を取得し、当該情報をメモリ１６０に保持する。
【００６３】
ステップＳ３７０にて、演算部１１０は、タッチ面積をメモリ１６０から読み出す。
ステップＳ３８０にて、演算部１１０は、当該タッチ面積と閾値との大小関係を判定する。当該タッチ面積が予め設定された閾値よりも大きい場合には、演算部１１０は、制御をステップＳ３８２に切り換える。そうでない場合には、演算部１１０は、制御をステップＳ３８６に切り換える。
【００６４】
ステップＳ３８２にて、演算部１１０は、ステップＳ３１６において算出しておいた画面比率（Ｘ）と当該移動量との積を算出することにより、移動量を重み付けする。これにより、携帯端末１００における移動量が導出される。
【００６５】
ステップＳ３８４にて、演算部１１０は、算出した移動量を用いて、表示部１５０におけるムーブ処理を実行する。
【００６６】
ステップＳ３８６にて、演算部１１０は、外部タッチイベント制御部１９０からの信号に基づいて、外部タッチイベントの取得処理が終了したことを検知する。より具体的には、演算部１１０は、外部表示機器２００からの信号に基づいて、表示部２５０におけるタッチ操作が終了したことを検知する。この信号は、表示部２５０におけるタッチ操作が終了した場合に、外部入力制御情報通信部２８０から外部出力制御情報通信部１８０に送信される。
【００６７】
ステップＳ３９０にて、演算部１１０は、外部表示機器２００に対する映像の出力を停止する。
【００６８】
図４を参照して、外部表示機器２００の制御構造について説明する。図４は、外部表示機器２００が実行する処理の一部を表すフローチャートである。
【００６９】
ステップＳ４１０にて、演算部２１０は、携帯端末１００から送信される映像信号の入力を受け付けるための準備を行なう。より具体的には、ステップＳ４１２にて、演算部２１０は、携帯端末１００から外部表示機器２００に入力される画像の解像度を決定する。ステップＳ４１４にて、演算部２１０は、外部入力制御情報通信部２８０を介して携帯端末１００の外部出力制御情報通信部１８０と通信することにより、表示部２５０の画面サイズを、携帯端末１００に通知する。他の局面において、演算部２１０は、上記解像度を含む信号を携帯端末１００に送信する。
【００７０】
ステップＳ４２０にて、演算部２１０は、外部入力映像管理部２７０を介して、携帯端末１００から送信される映像信号の入力の受信を開始する。
【００７１】
ステップＳ４３０にて、演算部２１０は、タッチパネル２２０からの出力信号に基づいて、タッチイベント外部送出処理を開始する。
【００７２】
ステップＳ４４０にて、演算部２１０は、タッチパネル２２０から送られるタッチ操作の内容を表す情報に基づいて、イベント種別を判定する。当該情報は、たとえば、タッチダウン操作が行われた点を表す座標値、タッチダウン操作が検出された領域を表す座標値、ムーブ操作が行われた軌跡を表す座標値、タッチアップ操作が検出された点を表す座標値を含む。演算部２１０は、イベント種別がタッチアップ操作またはムーブ操作であると判定すると、制御をステップＳ４５０に切り換える。演算部２１０は、イベント種別がタッチダウン操作であると判定すると、制御をステップＳ４６０に切り換える。
【００７３】
ステップＳ４５０にて、演算部２１０は、外部入力制御情報通信部２８０を介して、外部表示機器２００で検出されたイベント種別（タッチアップ操作またはムーブ操作）を携帯端末１００に通知する。また、演算部２１０は、当該イベント種別で特定されるムーブ操作の移動量たはタッチアップ操作における座標値も、外部入力制御情報通信部２８０を介して、携帯端末１００に通知する。
【００７４】
ステップＳ４６０にて、タッチ面積算出部２６０は、タッチパネル制御部２３０からの出力に基づいて、表示部２５０において行なわれたタッチ操作によってタッチされた面積を算出する。当該面積は、たとえば、画素数として表わされる。
【００７５】
ステップＳ４７０にて、演算部２１０は、外部入力制御情報通信部２８０を介して、外部表示機器２００で検出されたイベント種別（＝タッチダウン操作）を携帯端末１００に通知する。また、演算部２１０は、当該イベント種別で特定されるタッチダウン操作が検出された点または領域を表す座標値も、外部入力制御情報通信部２８０を介して、携帯端末１００に通知する。
【００７６】
ステップＳ４８０にて、演算部２１０は、タッチイベント外部送出処理を終了する。
ステップＳ４９０にて、演算部２１０は、携帯端末１００から送信された映像信号の入力の受け付けを終了する。
【００７７】
以上のようにして、本実施の形態によれば、外部表示機器２００の画面サイズの大きさを考慮したタッチ操作が可能となるため、大きい画面サイズの外部表示機器２００において、小さいタッチ操作でも大きく画面操作することができる。
【００７８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７９】
１  システム、１１，１２，１５，１８，１９，２１，２２，２５，２８，２９  画像、２０  指、２４  移動量、１００  携帯端末、１１０，２１０  演算部、１２０，２２０、１３０，２３０  タッチパネル制御部、１４０，２４０  表示制御部、１５０，２５０  表示部、１６０  メモリ、１７０  外部出力映像管理部、１８０，２８０  外部出力制御情報通信部、１９０  外部タッチイベント制御部、２００  外部出力機器、２６０  タッチ面積算出部、２７０  外部入力映像管理部、２８０  外部入力制御情報通信部。
【図１】
2014174808.tif 000003
【図２】
2014174808.tif 000004
【図３】
2014174808.tif 000005
【図４】
2014174808.tif 000006